(57)【要約】【課題】開栓している感覚を使用者がより一層得ることができるキャップを提供する。【解決手段】キャップ１Ａは、容器本体２の口部２ａに螺着される有頂筒状の内キャップ１０と、内キャップを覆う有頂筒状の外キャップ２０と、を備える。内キャップおよび外キャップのうち一方の頂壁には、他方の頂壁に向けて延びる弾性片１５が形成され、内キャップおよび外キャップのうち他方の頂壁には、前記一方の頂壁に向けて突出するとともに、外キャップが内キャップに対して緩み方向に回転したときに弾性片が乗り越え可能な突起２３が形成されている。内キャップと外キャップとの間には、第１規制部Ｒ１と、外キャップの内キャップに対する緩み方向における所定量以上の回転を規制する第２規制部と、が設けられている。第１規制部は、第２規制部が外キャップの内キャップに対する緩み方向における回転を規制したときに、外キャップの締まり方向の回転を規制する。【選択図】図１
2020001787.tif 000002
【特許請求の範囲】
【請求項１】
容器本体の口部に螺着される有頂筒状の内キャップと、
前記内キャップを覆う有頂筒状の外キャップと、を備え、
前記内キャップおよび前記外キャップのうち一方の頂壁には、他方の頂壁に向けて延びる弾性片が形成され、
前記内キャップおよび前記外キャップのうち他方の頂壁には、前記一方の頂壁に向けて突出するとともに、前記外キャップが前記内キャップに対して緩み方向に回転したときに前記弾性片が乗り越え可能な突起が形成され、
前記内キャップと前記外キャップとの間には、第１規制部と、前記外キャップの前記内キャップに対する緩み方向における所定量以上の回転を規制する第２規制部と、が設けられ、
前記第１規制部は、前記第２規制部が前記外キャップの前記内キャップに対する緩み方向における回転を規制したときに、前記外キャップの前記内キャップに対する締まり方向の回転を規制する、キャップ。
【請求項２】
前記弾性片には、上下方向を向く第１摺動面と、周方向を向く第１規制面と、が形成され、
前記突起には、前記第１摺動面に対して摺動する第２摺動面と、前記第１規制面と周方向で対向する第２規制面と、が形成され、
前記第１規制部は、前記第１規制面および前記第２規制面により構成されている、請求項１に記載のキャップ。
【請求項３】
前記第１規制部は、周方向に間隔を空けて複数設けられている、請求項１または２に記載のキャップ。
【請求項４】
前記弾性片は、前記内キャップおよび前記外キャップのうち一方の頂壁に複数形成され、
前記突起は、前記内キャップおよび前記外キャップのうち他方の頂壁に複数形成されている、請求項１から３のいずれか１項に記載のキャップ。
【発明の詳細な説明】
【技術分野】
【０００１】
本発明は、キャップに関する。
【背景技術】
【０００２】
容器本体に装着されるキャップにおいては、開栓されたことを認識できるようにすることが求められている。例えば特許文献１のキャップは、容器本体の口部に離脱可能に螺着された有頂筒状の蓋本体と、蓋本体に破断可能な弱化部を介して連結され、口部の係止部に対して下方から係止する分離リングを有している（例えば、特許文献１参照）。このようなキャップでは、蓋本体の口部に対する螺着を解除することによって弱化部を破断して分離リングを蓋本体から分離させており、弱化部が破断する際に生じる破断音や破断時の感触によって、使用者が蓋体を開栓している感覚を得ることができる。
【先行技術文献】
【特許文献】
【０００３】
【特許文献１】特開２００７−２９７０９７号公報
【発明の概要】
【発明が解決しようとする課題】
【０００４】
しかしながら、上記従来のキャップにおいても、開栓している感覚をより一層高めることに対する要求があった。
【０００５】
本発明はこのような事情を考慮してなされ、開栓している感覚を使用者がより一層得ることができるキャップを提供することを目的とする。
【課題を解決するための手段】
【０００６】
上記課題を解決するために、本発明の一態様に係るキャップは、容器本体の口部に螺着される有頂筒状の内キャップと、前記内キャップを覆う有頂筒状の外キャップと、を備え、前記内キャップおよび前記外キャップのうち一方の頂壁には、他方の頂壁に向けて延びる弾性片が形成され、前記内キャップおよび前記外キャップのうち他方の頂壁には、前記一方の頂壁に向けて突出するとともに、前記外キャップが前記内キャップに対して緩み方向に回転したときに前記弾性片が乗り越え可能な突起が形成され、前記内キャップと前記外キャップとの間には、第１規制部と、前記外キャップの前記内キャップに対する緩み方向における所定量以上の回転を規制する第２規制部と、が設けられ、前記第１規制部は、前記第２規制部が前記外キャップの前記内キャップに対する緩み方向における回転を規制したときに、前記外キャップの前記内キャップに対する締まり方向の回転を規制する。
【０００７】
上記態様によれば、外キャップが内キャップに対して緩み方向に回転し、弾性片が突起によって弾かれることで、振動や音が発生する。また、弾性片が突起を乗り越える際に、弾性片が弾性変形する。そして、弾性片が復元変形する際に、内キャップおよび外キャップのうち突起が形成された方の頂壁を弾性片が叩くことで、更に大きな振動や音を発生させることができる。
また、所定量を超えて外キャップを緩み方向に回転させようとすると、第２規制部により、内キャップが外キャップと一体となって緩み方向に回転する。このため、容器本体の口部に対して内キャップを回転させて、内キャップおよび外キャップを口部から取り外すことができる。
その一方で、キャップを容器本体から取り外してから再度このキャップを容器本体に螺着させた場合には、第１規制部により、外キャップの内キャップに対する締まり方向の回転が規制された状態で、外キャップおよび内キャップが容器本体の口部に対して締まり方向に回転する。このため、その後で再び外キャップを緩み方向に回転させた場合に、外キャップが内キャップに対して緩み方向に回転することが規制され、弾性片が弾性変形しないために振動や音が発生しない。
以上の作用により、上記態様のキャップによれば、キャップが初めて開栓される場合には、キャップを容器本体から離脱させたとき生じる音や振動（感触）により、開栓している感覚をより一層高めることができる。また、２回目以降の開栓の場合には振動や音の発生を抑制することができる。したがって、使用者に対して、容器本体の開栓、開封が初めてなされたことを強く感じさせて、容器本体内に収容されている内容物の新鮮さ（例えば内容物の鮮度が高い状態や鮮度が保たれた状態）を容易に認識させることができる。
【０００８】
ここで、前記弾性片には、上下方向を向く第１摺動面と、周方向を向く第１規制面と、が形成され、前記突起には、前記第１摺動面に対して摺動する第２摺動面と、前記第１規制面と周方向で対向する第２規制面と、が形成され、前記第１規制部は、前記第１規制面および前記第２規制面により構成されていてもよい。
【０００９】
この場合、外キャップが内キャップに対して緩み方向に回転する際には、弾性片の第１摺動面が突起の第２摺動面に対して摺動しながら、弾性片が突起を乗り越える。その一方で、外キャップの内キャップに対する締まり方向の回転は、弾性片の第１規制面および突起の第２規制面が互いに当接することにより規制される。このように、弾性片および突起をラチェット機構のように機能させることで、上記した作用を簡易な構成で実現することができる。
【００１０】
また、前記第１規制部は、周方向に間隔を空けて複数設けられていてもよい。
【００１１】
この場合、外キャップの内キャップに対する締まり方向の回転をより確実に規制することができる。
【００１２】
また、前記弾性片は、前記内キャップおよび前記外キャップのうち一方の頂壁に複数形成され、前記突起は、前記内キャップおよび前記外キャップのうち他方の頂壁に複数形成されていてもよい。
【００１３】
この場合、弾性片が突起を乗り越える際の音をより短い間隔で発生させることができる。これにより、使用者に対して、開栓時の音をより認識させやすくすることができる。
【発明の効果】
【００１４】
本発明の上記態様によれば、容器本体が初めて開栓、開封されたことを強く認識させるとともに、容器本体内に収容されている内容物の新鮮さ（例えば内容物の鮮度が高い状態や鮮度が保たれた状態）を容易に認識させることができる。
【図面の簡単な説明】
【００１５】
【図１】第１実施形態に係るキャップの縦断面図である。
【図２】図１のＩＩ−ＩＩ断面矢視図である。
【図３】図１のＩＩＩ−ＩＩＩ断面矢視図であって、（ａ）は外キャップが第１位置にある場合を示し、（ｂ）は外キャップが第２位置にある場合を示している。
【図４】第１実施形態に係るキャップの側面図であり、（ａ）は外キャップが第１位置にある場合を示し、（ｂ）は外キャップが第２位置にある場合を示している。
【図５】第２実施形態に係るキャップの縦断面図である。
【発明を実施するための形態】
【００１６】
（第１実施形態）
以下、第１実施形態のキャップについて図面に基づいて説明する。
図１に示すように、キャップ１Ａは、有底筒状の容器本体２の口部２ａに装着して用いられる。キャップ１Ａおよび容器本体２が組み合わされることで、キャップ付き容器３が構成されている。容器本体２に収容される内容物としては、例えば水のような発泡性のない液体や炭酸飲料のような発泡性の液体などが挙げられるが、このような液体に限定されず、ゲル状や固体状の内容物など他の形態の内容物であってもよい。また、内容物としては、特に飲料や食品のような鮮度を要求されるものが好適に挙げられる。容器本体２にキャップ１Ａが装着されることで、容器本体２内が密封可能となっている。
キャップ１Ａは、口部２ａに取り付けられる内キャップ１０と、内キャップ１０を覆う外キャップ２０と、口部２ａをシールする封止部材３０と、を備えている。内キャップ１０、外キャップ２０、および封止部材３０はそれぞれ、有頂筒状に形成されている。
【００１７】
（方向定義）
ここで本実施形態では、内キャップ１０および外キャップ２０の各中心軸は共通の中心軸線上に配置されている。以下、この共通の中心軸線をキャップ軸Ｏといい、キャップ軸Ｏに沿う方向を上下方向という。キャップ軸Ｏ（上下方向）に沿う断面を縦断面という。また、上下方向に沿う容器本体２の底部側を下方といい、外キャップ２０の頂壁２１側を上方という。
また、上下方向から見た平面視において、キャップ軸Ｏに交差する方向を径方向といい、キャップ軸Ｏ回りに周回する方向を周方向という。
また、内キャップ１０は容器本体２の口部２ａに螺着されている。周方向のうち、この螺着が緩む方向を「緩み方向」といい、螺着が締まる方向を「締まり方向」という。本実施形態では、上方から見て、反時計回りが緩み方向であり、時計回りが締まり方向となっている。
【００１８】
封止部材３０は、容器本体２の口部２ａ内に嵌合された有頂筒状のシール筒３１と、シール筒３１の上端部から径方向外側に向けて延びるフランジ部３２と、を有している。フランジ部３２は、口部２ａの上端開口縁に接している。フランジ部３２の外周面には、径方向外側に向けて突出する嵌合部３２ａが形成されている。封止部材３０により、容器本体２の口部２ａがシールされている。
【００１９】
（内キャップ）
内キャップ１０は、頂壁１１と、内筒１２と、リング部１３と、を有している。頂壁１１は平面視で円板状に形成されている。内筒１２は、頂壁１１の外周縁から下方に向けて延びており、円筒状に形成されている。内筒１２の内周面には、容器本体２の口部２ａに形成された雄ネジ部に螺着される雌ネジ部が形成されている。
【００２０】
内筒１２の上端部には、径方向内側に向けて突出する嵌合突部１６が形成されている。嵌合突部１６と頂壁１１との間には、上下方向の隙間が形成されている。この隙間に封止部材３０の嵌合部３２ａが位置している。嵌合部３２ａが嵌合突部１６にアンダーカット嵌合することで、封止部材３０が内キャップ１０に固定されている。
【００２１】
リング部１３は、環状に形成されており、内筒１２の下方に位置している。リング部１３の内周面には、径方向内側に向けて突出する係合部１３ａが形成されている。係合部１３ａは、径方向内側に向かうに従って漸次上方に向けて延びている。係合部１３ａの径方向内端部は、口部２ａから径方向外側に突出する凸部２ｂに対して、上下方向で対向している。
【００２２】
内筒１２とリング部１３との間には、弱化部１４が設けられている。弱化部１４は、周方向に間隔を空けて複数形成されており、リング部１３を内筒１２の下端部に接続している。また、弱化部１４の肉厚は内筒１２およびリング部１３の肉厚よりも小さくなっている。このため、弱化部１４は破断されやすくなっている。キャップ１Ａが容器本体２に対して上昇すると、係合部１３ａが容器本体２の凸部２ｂに当接することで、弱化部１４に上下方向の引っ張り応力が作用する。この引っ張り応力によって弱化部１４が破断されるため、キャップ１Ａを容器本体２から取り外した場合には、リング部１３が口部２ａに残ることとなる。
【００２３】
頂壁１１には、弾性片１５が形成されている。弾性片１５は、周方向に間隔を空けて複数形成されている。本実施形態では、図２に示すように、４つの弾性片１５が周方向に等間隔を空けて配置されている。各弾性片１５は周方向に沿って延びるとともに、外キャップ２０の頂壁２１に向けて延びている。
図１に示すように、弾性片１５の周方向における第１の端部は、頂壁１１に接続されている。弾性片１５の周方向における第２の端部は、頂壁１１から上方に離れている。なお、弾性片１５における第１の端部から第２の端部に向かう方向は、内キャップ１０の緩み方向と一致している。
頂壁１１には、射出成型の際に弾性片１５を形成するための抜き孔１１ａが形成されている。図示は省略するが、抜き孔１１ａは、平面視で弾性片１５と略同等の形状となっている。
【００２４】
弾性片１５は、周方向における第１の端部から第２の端部に向かうに従って、漸次上方に向けて延びている。弾性片１５の上面は、曲面状に形成されており、後述する突起２３に対して摺動する第１摺動面１５ｂとされている。弾性片１５は、周方向を向く端面（第１規制面１５ａ）を有している。第１規制面１５ａは、弾性片１５の周方向における第２の端部に位置し、上下方向に沿って延びている。第１規制面１５ａは、後述する突起２３の第２規制面２３ｂに対して、周方向で対向している。
【００２５】
図３（ａ）に示すように、内筒１２の外周面には、第１内側係止部１２ａ、第２内側係止部１２ｃ、第３内側係止部１２ｄ、および第４内側係止部１２ｆが形成されている。第１内側係止部１２ａ、第２内側係止部１２ｃ、第３内側係止部１２ｄ、および第４内側係止部１２ｆは、周方向（緩み方向）に沿って、この順に配置されている。これらの内側係止部１２ａ、１２ｃ、１２ｄ、１２ｆは、内筒１２の外周面から径方向外側に向けて突出し、上下方向に延びている。
【００２６】
第１内側係止部１２ａと第２内側係止部１２ｃとの間には、周方向の隙間が設けられている。第１内側係止部１２ａは、周方向（緩み方向）を向く端面１２ｂを有している。第１内側係止部１２ａの端面１２ｂは、第２内側係止部１２ｃに周方向で対向している。第２内側係止部１２ｃは、径方向外側に向けて凸の曲面状に形成されている。
【００２７】
第３内側係止部１２ｄおよび第４内側係止部１２ｆは、第２内側係止部１２ｃから周方向（緩み方向）に離れた位置に配置されている。第３内側係止部１２ｄと第４内側係止部１２ｆとの間には、周方向の隙間が設けられている。第３内側係止部１２ｄは、周方向（緩み方向）を向く端面１２ｅを有している。第３内側係止部１２ｄの端面１２ｅは、第４内側係止部１２ｆに周方向で対向している。第４内側係止部１２ｆと外キャップ２０の外筒２２との間の隙間は、他の内側係止部１２ａ、１２ｃ、１２ｄと外筒２２との間の隙間よりも小さい。
【００２８】
（外キャップ）
図１に示すように、外キャップ２０は、頂壁２１と、外筒２２と、を有している。頂壁２１は、内キャップ１０の頂壁１１に対して、上下方向で対向している。頂壁２１と頂壁１１との間には、上下方向の隙間が設けられており、この隙間に弾性片１５が位置している。外筒２２と内キャップ１０の内筒１２との間には径方向の隙間が設けられている。
【００２９】
頂壁２１の下面には、内キャップ１０の頂壁１１に向けて、下方に突出する突起２３が形成されている。図２に示すように、突起２３は、周方向に間隔を空けて複数（本実施形態では４つ）形成されている。突起２３および弾性片１５は、同数ずつ形成されている。突起２３および弾性片１５は、径方向において、互いに同等の位置に配置されている。
【００３０】
突起２３は、第２摺動面２３ａと、第２規制面２３ｂとを有している。第２摺動面２３ａは、下方に向かうに従い、漸次周方向（締まり方向）に延びるように傾斜している。突起２３の径方向における幅は、弾性片１５の径方向における幅よりも小さい。
図３（ａ）に示すように、外筒２２の内周面には、径方向内側に向けて突出する外側係止部２２ａが形成されている。外側係止部２２ａは、周方向（締まり方向）を向く端面２２ｂを有している。外側係止部２２ａの端面２２ｂは、内キャップ１０における第１内側係止部１２ａの端面１２ｂと、周方向で対向している。
【００３１】
なお、外キャップ２０は、内キャップ１０に対して、図３（ａ）に示す第１位置から、図３（ｂ）に示す第２位置に至るまで、キャップ軸Ｏ回りに緩み方向に回転可能となっている。第１位置では、外側係止部２２ａの端面２２ｂは、第１内側係止部１２ａと第２内側係止部１２ｃとの間の隙間に位置している。第２位置では、外側係止部２２ａの端面２２ｂは、第３内側係止部１２ｄと第４内側係止部１２ｆとの間の隙間に位置している。
【００３２】
図４（ａ）に示すように、外キャップ２０には、外筒２２を径方向に貫通する貫通孔２５が形成されている。貫通孔２５を通して、内キャップ１０の内筒１２が視認可能となっている。図４（ｂ）に示すように、内キャップ１０の内筒１２には、外キャップ２０が内キャップ１０に対して緩み方向に所定量回転したことを表示する表示部１７が設けられている。表示部１７は、内筒１２に施された塗装や刻印などである。表示部１７は、外キャップ２０が第２位置にある場合に貫通孔２５を通して視認可能であり、外キャップ２０が第１位置にある場合に視認されない位置に形成されている。
【００３３】
（第１規制部および第２規制部）
ここで、上述の第１規制面１５ａおよび第２規制面２３ｂは、外キャップ２０の内キャップ１０に対する締まり方向の回転を規制する第１規制部Ｒ１を構成している（図１参照）。第１規制部Ｒ１は弾性片１５および突起２３により構成されており、弾性片１５および突起２３はそれぞれ、周方向に間隔を空けて複数形成されている。このため、本実施形態では、第１規制部Ｒ１が周方向に間隔を空けて複数形成されている。
【００３４】
また、外側係止部２２ａおよび第４内側係止部１２ｆは、外キャップ２０の内キャップ１０に対する緩み方向における所定量以上の回転を規制する第２規制部Ｒ２を構成している（図３（ｂ）参照）。第２規制部Ｒ２は、外キャップ２０が第１位置（図３（ａ））から第２位置（図３（ｂ））まで移動すると、それ以上の緩み方向に向けた移動を規制する。
【００３５】
（作用）
出荷時の状態では、内キャップ１０と外キャップ２０との相対的な位置関係は、図３（ａ）に示す状態となっている。つまり、外キャップ２０は第１位置に位置決めされている。この状態から外キャップ２０を内キャップ１０に対して緩み方向に回転させると、外側係止部２２ａが第２内側係止部１２ｃを周方向（緩み方向）に乗り越える。このとき、弾性片１５の第１摺動面１５ｂが突起２３の第２摺動面２３ａ上を摺動しながら、突起２３に乗り上げるように弾性変形する。そして、弾性片１５の第１規制面１５ａが突起２３の第２規制面２３ｂまで到達すると、弾性片１５の弾性力によって、弾性片１５が上方に向けて復元変位する。このように、弾性片１５が突起２３によって弾かれることで音や振動が発生する。また、弾性片１５が外キャップ２０の頂壁２１を叩くことで、更に大きな音や振動が発生する。
【００３６】
外キャップ２０を内キャップ１０に対して緩み方向に回転させる操作を継続すると、上記の動作が繰り返されて、弾性片１５が頂壁２１を叩く音が繰り返し発生する。外キャップ２０が所定量回転すると、図３（ｂ）に示すように、外側係止部２２ａが第３内側係止部１２ｄを乗り越えて、第３内側係止部１２ｄと第４内側係止部１２ｆとの間の隙間に到達する。第４内側係止部１２ｆと外キャップ２０との間の隙間は、外側係止部２２ａの径方向における突出量より小さいため、外側係止部２２ａは第４内側係止部１２ｆを乗り越えることができない。従って、外キャップ２０の内キャップ１０に対するそれ以上の緩み方向の回転は規制される。このように、外キャップ２０が第２位置に到達したときに第２規制部Ｒ２（外側係止部２２ａ、第４内側係止部１２ｆ）が機能する。
【００３７】
第２規制部Ｒ２により、外キャップ２０の内キャップ１０に対する緩み方向の回転が規制された状態で、さらに外キャップ２０を緩み方向に回転させると、外キャップ２０に加えられた回転力が内キャップ１０にも伝わる。これにより外キャップ２０および内キャップ１０が一体となって容器本体２に対して回転し、内キャップ１０および外キャップ２０を容器本体２から取り外すことができる。なお先述の通り、内キャップ１０が容器本体２の口部２ａに対して上昇するときに、弱化部１４が破断されてリング部１３が口部２ａに残る。このため、弱化部１４が破断される際の音によっても、初めての開栓であることを使用者に認識させることができる。
【００３８】
次に、いったん取り外されたキャップ１Ａを、再び容器本体２の口部２ａに取り付ける場合について考える。外キャップ２０を内キャップ１０に対して締まり方向に回転させようとすると、弾性片１５の第１規制面１５ａと突起２３の第２規制面２３ｂとが当接する。このように、第１規制部Ｒ１（第１規制面１５ａおよび第２規制面２３ｂ）が機能することで、外キャップ２０の内キャップ１０に対する締まり方向の回転が規制される。また、外側係止部２２ａの端面２２ｂと第３内側係止部１２ｄの端面１２ｅとが当接することによっても、外キャップ２０の内キャップ１０に対する締まり方向の回転が規制される。
【００３９】
このため、外キャップ２０および内キャップ１０は、容器本体２に対して、一体となって締まり方向に回転する。つまり、外キャップ２０の内キャップ１０に対する位置が、第２位置（図３（ｂ））となったまま、内キャップ１０が容器本体２の口部２ａに螺着される。したがって、２回目以降に内キャップ１０および外キャップ２０を緩めようとした際には、当初から外キャップ２０が第２位置にあり、外キャップ２０の内キャップ１０に対する緩み方向の回転が第２規制部Ｒ２によって規制された状態となっている。このため、外キャップ２０が内キャップ１０に対して緩み方向に回転せず、弾性片１５が突起２３を乗り越える際の音も生じない。
【００４０】
以上説明したように、本実施形態によれば、キャップ１Ａが初めて開栓される場合には、キャップ１Ａを容器本体２から離脱させるときに生じる音や振動（感触）によって、開栓している感覚をより一層高めることができる。また、２回目以降の開栓の場合には音や振動の発生を抑制することができる。したがって、使用者に対して、初めての開栓操作であることを音によって認識させて、容器本体２の内容物が新鮮であるという安心感を与えることができる。
【００４１】
また、弾性片１５には第１摺動面１５ｂおよび第１規制面１５ａが形成され、突起２３には第２摺動面２３ａおよび第２規制面２３ｂが形成されている。そして、第１規制部Ｒ１は、第１規制面１５ａおよび第２規制面２３ｂによって構成されている。これにより、外キャップ２０が内キャップ１０に対して緩み方向に回転する際には、第１摺動面１５ｂが第２摺動面２３ａに対して摺動しながら、弾性片１５が突起２３を乗り越える。その一方で、外キャップ２０の内キャップ１０に対する締まり方向の回転は、第１規制面１５ａおよび第２規制面２３ｂにより規制される。このように、弾性片１５および突起２３をラチェット機構のように機能させることで、上記したキャップ１Ａの作用を簡易な構成で実現することができる。
【００４２】
また、弾性片１５および突起２３が周方向に間隔を空けて複数形成されていることで、弾性片１５が外キャップ２０の頂壁２１を叩く際の音を短い間隔で発生させることができる。これにより、使用者に対して、開栓時の音をより認識させやすくすることができる。
また、第１規制部Ｒ１（第１規制面１５ａおよび第２規制面２３ｂ）が周方向に間隔を空けて複数設けられていることで、外キャップ２０の内キャップ１０に対する締まり方向の回転をより確実に規制することができる。
【００４３】
また、内キャップ１０の内筒１２には表示部１７が設けられており、外キャップ２０が第１位置にあるときに表示部１７が視認されず、外キャップ２０が第２位置にあるときに表示部１７が貫通孔２５を通して視認可能となっている（図４（ａ）、（ｂ））。このため、表示部１７を目視することでも、外キャップ２０が第２位置にあることを認識することが可能となっている。これにより、使用者に対して、聴覚だけでなく、視覚によってもキャップ１Ａが開栓されたことを認識させることができる。また、キャップ１Ａが容器本体２に装着された状態で流通・販売される際に、いたずらなどによってキャップ１Ａが開栓されたか否かを判別しやすくすることができる。
【００４４】
（第２実施形態）
次に、本発明に係る第２実施形態について説明するが、第１実施形態と基本的な構成は同様である。このため、同様の構成には同一の符号を付してその説明は省略し、異なる点についてのみ説明する。
【００４５】
図５に示すように、本実施形態のキャップ１Ｂでは、シール筒３１が内キャップ１０と一体に形成されている。より詳しくは、内キャップ１０の頂壁１１から下方に向けてシール筒３１が延びている。また、頂壁１１には、弾性片１５を形成するための抜き孔１１ａ（図１参照）が形成されていない。
本実施形態の場合、内キャップ１０が容器本体２の口部２ａをシールする。本実施形態において、内キャップ１０を射出成形する場合には、弾性片１５と頂壁１１との間の部分をスライドコアによって形成してもよい。
【００４６】
本実施形態によれば、第１実施形態のように封止部材３０を設ける必要がないため、コストダウンを図ることができる。
また、第１実施形態と同様の作用効果を得ることができる。
【００４７】
なお、本発明の技術的範囲は前記実施の形態に限定されず、本発明の趣旨を逸脱しない範囲において種々の変更を加えることが可能である。
【００４８】
例えば、前記実施形態では、リング部１３が弱化部１４によって接続されていたが、キャップ１Ａ、１Ｂはこのようなリング部１３および弱化部１４を備えていなくても良い。この場合でも、弾性片１５により発生する音によって、開栓操作が初めて行われたことを使用者に認識させることができる。
【００４９】
また、前記実施形態では、弾性片１５が内キャップ１０に形成され、突起２３が外キャップ２０に形成されていた。しかしながら、弾性片１５が外キャップ２０の頂壁２１に形成され、突起２３が内キャップ１０の頂壁１１に形成されていてもよい。この場合でも、前記実施形態と同様の作用効果を得ることができる。つまり、弾性片１５は、内キャップ１０および外キャップ２０のうち一方の頂壁に、他方の頂壁に向けて延びていればよい。また、突起２３は、内キャップ１０および外キャップ２０のうち他方の頂壁に、前記一方の頂壁に向けて突出していればよい。
【００５０】
また、第１規制部Ｒ１および第２規制部Ｒ２の形態を適宜変更してもよい。
例えば、前記実施形態では、第１規制部Ｒ１が弾性片１５および突起２３により構成されて。しかしながら、弾性片１５および突起２３とは異なる部位によって、第１規制部Ｒ１を構成してもよい。
また、第１規制部Ｒ１は内キャップ１０および外キャップ２０の間のいずれかの部位に設けられていればよい。例えば、第１規制部Ｒ１は内キャップ１０の内筒１２と外キャップ２０の外筒２２との間に設けられていてもよい。
【００５１】
同様に、前記実施形態では、第２規制部Ｒ２が外側係止部２２ａおよび第４内側係止部１２ｆにより構成されていたが、第２規制部Ｒ２は内キャップ１０および外キャップ２０の間のいずれかの部位に設けられていればよい。例えば、第２規制部Ｒ１は内キャップ１０の頂壁１１と外キャップ２０の頂壁２１との間に設けられていてもよい。
【００５２】
その他、本発明の趣旨を逸脱しない範囲で、上記した実施の形態における構成要素を周知の構成要素に置き換えることは適宜可能であり、また、上記した実施形態や変形例を適宜組み合わせてもよい。
【符号の説明】
【００５３】
１Ａ、１Ｂ…キャップ  ２…容器本体  ２ａ…口部  １０…内キャップ  １１…内キャップの頂壁  １５…弾性片  １５ａ…第１規制面  １５ｂ…第１摺動面  ２０…外キャップ  ２１…外キャップの頂壁  ２３…突起  ２３ａ…第２摺動面  ２３ｂ…第２規制面  Ｒ１…第１規制部  Ｒ２…第２規制部
【図１】
2020001787.tif 000003
【図２】
2020001787.tif 000004
【図３】
2020001787.tif 000005
【図４】
2020001787.tif 000006
【図５】
2020001787.tif 000007